(57)【要約】【課題】従来の音楽再生装置と比較して再生機能において利便性が向上した音楽再生装置を提供する。【解決手段】曲の再生に必要な少なくとも２以上の音データと音データの再生順序を表す再生順序情報を有するプレイリスト６とを記憶する記憶手段２と、音データを再生する再生手段３と、再生順序情報に基づいて音データを再生するよう再生手段を制御する制御手段５と、再生手段３によって再生されている音データを先頭部分から再生するか否かを決定可能な操作手段４とを備え、プレイリスト６は、予め設定された音データの再生開始時間及び再生時間を表す再生時間特定情報をさらに有し、制御手段５は、再生時間特定情報に基づいて音データを再生するよう再生手段３を制御するとともに、操作手段４により決定された音データを先頭部分から再生するよう再生手段３を制御する。【選択図】図１
2007257737.tif 000002
【特許請求の範囲】
【請求項１】
曲の再生に必要な少なくとも２以上の音データと前記音データの再生順序を表す再生順序情報を有するプレイリストとを記憶する記憶手段と、
前記音データを再生する再生手段と、
前記再生順序情報に基づいて前記音データを再生するよう前記再生手段を制御する制御手段と、
前記再生手段によって再生されている音データを先頭部分から再生するか否かを決定可能な操作手段とを備え、
前記プレイリストは、予め設定された音データの再生開始時間及び再生時間を表す再生時間特定情報をさらに有し、前記制御手段は、前記再生時間特定情報に基づいて前記音データを再生するよう再生手段を制御するとともに、前記操作手段により決定された音データを先頭部分から再生するよう前記再生手段を制御することを特徴とする音楽再生装置。
【請求項２】
前記記憶手段は、前記操作手段によって決定された音データ毎の決定回数を有する付加データをさらに備え、前記制御手段は、前記決定回数に基づいて前記再生順序情報を変更するようにしたことを特徴とする請求項１に記載の音楽再生装置。
【請求項３】
前記付加データは、各音データに対応するインデックス情報を含み、前記制御手段は、前記インデックス情報に基づき前記再生順序情報を生成することを特徴とする請求項２に記載の音楽再生装置。
【請求項４】
外部機器と接続する接続手段をさらに備え、前記プレイリスト及び前記付加データを前記外部機器から編集可能にしたことを特徴とする請求項１乃至３の何れかに記載の音楽再生装置。
【請求項５】
請求項１乃至４の何れかに記載の音楽再生装置を内蔵したことを特徴とする電子機器。
【発明の詳細な説明】
【技術分野】
【０００１】
本発明は、記録媒体に記録された複数の音データを再生する音楽再生装置及びこれを内蔵した電子機器に関するものである。
【背景技術】
【０００２】
従来の音楽再生装置においては、ハードディスク搭載で携帯型のものは膨大な曲数を録音可能であるが、ユーザが録音した曲を全て覚えきれないことや表示部が小さいことによりユーザが希望する曲の検索が困難であった。
【０００３】
そこで、特許文献１に示すように、曲の一部を再生することによってユーザが希望する曲を検索する曲検索機能付きの音楽再生装置があった。
【０００４】
この従来の音楽再生装置３１は、図５に示すように、複数の曲データが記録された記録媒体の複数個をＣＤバンク部３２に格納し、ＣＤバンク部３２の中から選択された記録媒体に記録済の曲データを再生し得るようになっており、複数の記録媒体のそれぞれの曲データに対応する曲名称等のテキストデータを格納し得る第１メモリ３３と、複数の曲名称データのそれぞれに対応する曲データの中の一部を抽出した抽出データを格納し得る第２メモリ３４と、第１メモリ３３から取り出された曲名称データに対応する文字を表示する表示器３５と、表示器３５に表示される文字に対応して第２メモリ３４から取り出された抽出データに対応する音声を出力する音声出力部３６と、表示器３５による文字表示と音声出力部３６による音声出力を、ＣＤバンク部３２に格納された複数の記録媒体の有する複数の曲データに対して行うように制御するＣＰＵ３７とを備えている。
【０００５】
また、特許文献１に示す従来の音楽再生装置は、操作キー部３８を備えており、この操作キー部３８は、複数のキーでなる再生指令用キー群３９とイントロ記憶キー４０とで構成され、再生指令用キー群３９のいずれかを操作することによって所望の再生動作指令を与えることができ、イントロ記憶キー４０を操作することによってＣＤ収納曲のイントロ部分を抽出して第２メモリ３４に自動的に格納し得るように構成されている。
【特許文献１】特開２００１−１４３４４９号公報（第１図参照）
【発明の開示】
【発明が解決しようとする課題】
【０００６】
しかしながら、特許文献１に示す従来の音楽再生装置においては、ユーザが希望する曲を検索するために各曲の一部を別の記録媒体に登録する必要があることからユーザによる録音操作が必要であるばかりか、曲を選択する必要のないランダム再生ではユーザが聞きたくない曲が混在してしまい、結果として再生機能において不便であるという問題があった。
【０００７】
本発明は、従来の課題を解決するためになされたもので、従来の音楽再生装置と比較して再生機能において利便性が向上した音楽再生装置を提供することを目的とする。
【課題を解決するための手段】
【０００８】
本発明の音楽再生装置は、曲の再生に必要な少なくとも２以上の音データと前記音データの再生順序を表す再生順序情報を有するプレイリストとを記憶する記憶手段と、前記音データを再生する再生手段と、前記再生順序情報に基づいて前記音データを再生するよう前記再生手段を制御する制御手段と、前記再生手段によって再生されている音データを先頭部分から再生するか否かを決定可能な操作手段とを備え、前記プレイリストは、予め設定された音データの再生開始時間及び再生時間を表す再生時間特定情報をさらに有し、前記制御手段は、前記再生時間特定情報に基づいて前記音データを再生するよう再生手段を制御するとともに、前記操作手段により決定された音データを先頭部分から再生するよう前記再生手段を制御するよう構成されている。
【０００９】
この構成により、ユーザは再生開始時間及び再生時間を指示し、再生を開始する操作のみを行えばよいため、従来の音楽再生装置のように各曲の一部を別の記録媒体に登録する必要がなく、従来の音楽再生装置と比較して利便性を向上することができる。また、ユーザによって操作手段により決定された場合、選択された曲を先頭部分から再生するため、ユーザは今聞きたい曲をゆっくり楽しむことができ、再生機能における利便性を向上することができる。このように、本発明は、従来の音楽再生装置と比較して再生機能において利便性を向上することができる。
【００１０】
また、本発明の音楽再生装置は、前記記憶手段が、前記操作手段によって決定された音データ毎の決定回数を有する付加データをさらに備え、前記制御手段は、前記決定回数に基づいて前記再生順序情報を変更するよう構成されている。
【００１１】
この構成により、決定回数が多い曲順に再生され、ユーザが好んでいる曲を優先的に再生することができるため、ユーザに不快感を与えることがなく、再生機能における利便性を向上することができる。
【００１２】
また、本発明の音楽再生装置は、前記付加データが、各音データに対応するインデックス情報を含み、前記制御手段は、前記インデックス情報に基づき前記再生順序情報を生成するよう構成されている。
【００１３】
この構成により、例えば、アーティスト名やジャンル名に基づいて再生順序情報を生成することができるため、多彩な再生方法を実現でき、再生機能における利便性を向上することができる。
【００１４】
また、本発明の音楽再生装置は、外部機器と接続する接続手段をさらに備え、前記プレイリスト及び前記付加データを前記外部機器から編集可能に構成されている。
【００１５】
この構成により、装置側においてプレイリストや付加データの編集が不要であるため、再生機能における利便性を向上することができる。例えば、再生を開始する指示及び曲を決定する指示のみでよく、再生機能における利便性を向上することができる。さらに、装置側にプレイリストや付加データを編集する編集手段や表示手段が不要となり、従来の音楽再生装置と比較して装置を小型化及び低コスト化を実現することができる。
【００１６】
なお、本発明の電子機器は、音楽再生装置を内蔵していてもよい。
【発明の効果】
【００１７】
本発明は、従来の音楽再生装置と比較して再生機能において利便性が向上した音楽再生装置を提供することができる。
【発明を実施するための最良の形態】
【００１８】
以下、本発明の実施の形態について、図面を参照して説明する。
（第１の実施の形態）
図１は、本発明の第１の実施の形態の音楽再生装置のブロック図である。
【００１９】
図１に示すように、音楽再生装置１は、曲の再生に必要な音楽データ及びプレイリストを記憶する記憶手段２と、音楽データを再生する再生手段３と、当該装置１を操作する操作手段４と、記憶手段２、再生手段３及び操作手段４に接続され装置各部を制御する制御手段５とを備えている。
【００２０】
図２は、本発明の第１の実施の形態の音楽再生装置の記憶手段の詳細を説明するための図である。
【００２１】
図２に示すように、記憶手段２は、メモリやハードディスク等の記録媒体によって構成されている。記憶手段２は、プレイリスト６と音楽データ７とを含み、プレイリスト６は、音楽データ７の再生順序を表す再生順序情報８と、再生される曲がどの領域に録音されているか表すパス情報９と、予め設定された音楽データ７の再生開始時間１０ａ及び再生時間１０ｂを表す再生時間特定情報１０とで構成されている。登録されている再生順序情報８は、後述するランダム再生キーが押下される度に後述する制御手段によってランダム設定されるようになっている。再生開始時間１０ａとは、音楽データ７の再生を開始する時間をいい、曲の先頭部分から所定時間経過後の時間をいう。再生時間１０ｂとは、再生開始時間１０ａから所定時間経過後の時間をいう。音楽データ７は、例えばＡからＮまでの複数の音データ１１と、各音データ１１に対応する付加データ１２とで構成され、付加データ１２には、アーティスト名、曲名、ジャンル、曲長、年号、フォーマットの種類等のインデックス情報が含まれる。
【００２２】
図１に戻り、再生手段３は、音声出力部１３と、アンプ１４と、スピーカ１５とで構成されており、音声出力部１３には、アンプ１４が、アンプ１４には、スピーカ１５がそれぞれ接続されている。再生手段３は、ランダム再生を行う場合、プレイリスト６に基づいて音楽データ７に録音された音データ１１を再生するようになっている。すなわち、再生手段３は、ランダム再生を行う場合、音データ１１の再生順序を表す再生順序情報８と、予め設定された各音データ１１の再生開始時間１０ａ及び再生時間１０ｂを表す再生時間特定情報１０に基づいて再生するようになっている。また、再生手段３は、後述する操作手段４を構成する曲決定キー１６の押下が検出されると、再生中の音データ１１を先頭部分から再生するようになっている。
【００２３】
操作手段４は、各種キーによって構成され、再生されている音データ１１を先頭部分から再生するか否か決定する曲決定キー１６と、ランダム再生をするか否かを指示するランダム再生キー１７とを含んでいる。
【００２４】
制御手段５は、図示しないＣＰＵ（Central Processing Unit）、このＣＰＵを動作させるためのプログラムが書き込まれた図示しないＲＯＭ（Read Only Memory）、ＣＰＵの動作において使用される図示しないＲＡＭ（Random Access Memory）で構成されている。制御手段５は、ランダム再生キー１７の押下が検出されるとプレイリスト６に記憶された再生順序を表す再生順序情報８、パス情報９及び再生時間特定情報１０に基づいて音データ１１が順番に記憶手段２から再生手段３に読み出すよう制御する。そして、制御手段５は、曲決定キー１６の押下を検出すると、再生中の音データ１１が先頭部分から再生されるよう再生手段３を制御するようになっている。
【００２５】
ここで、ランダム再生の一例を挙げる。再生開始時間を１分後とし、再生時間を１０秒とすると、ランダム再生キーが押下されると各曲の１分後から１０秒間のランダム再生が
される。再生順序情報８がランダムに設定されることでユーザは毎回新鮮な曲順で音楽を楽しむことができる。なお、ランダム再生する曲の全てを１分後から１０秒間のように固定する必要はなく、曲ごとに指定するようにしてもよい。また、曲の全てを１分後から１０秒間のように固定した場合、曲長が１分未満の音データについては曲の先頭、または曲の中心から１０秒間再生するようにして再生されるようにするのが望ましい。
【００２６】
図３は、本発明の第１の実施の形態の音楽再生装置のフローチャートである。
【００２７】
図３に示すように、ランダム再生キー１７がＯＮされているか否かが判定され（ステップＳ１）、ＹＥＳの場合にはステップＳ２に進む一方、ＮＯの場合には処理が終了する。次に、プレイリスト６に登録された最初の曲をランダム再生するように再生順序用カウンタが初期化され（ステップＳ２）、最初の曲からランダム再生が開始される（ステップＳ３）。次に、再生中に曲決定キー１６がＯＮされているか否かが判定され（ステップＳ４）、ＹＥＳの場合にはステップＳ７に進む一方、プレイリスト６に登録された最後の曲に到達したか否かが判定され（ステップＳ５）、ＮＯの場合にはステップＳ６に進む一方、ＹＥＳの場合には処理が終了する。次に、再生順序用カウンタが更新され（ステップＳ６）、ステップＳ３の処理に戻り、更新されたカウンタ数値に基づきプレイリスト６に登録された曲が再生される。ステップＳ４においてＹＥＳの場合には、ステップＳ３において再生中であった音データ１１の先頭から再生がなされ（ステップＳ７）、ステップＳ５へ進む。
【００２８】
ステップＳ４においては、ステップＳ３の実行中、すなわち再生中に曲決定キー１６がＯＮされているか判定しているため、曲決定キー１６が押下されたら直ちに先頭から再生されるのでユーザに不快感を与えない。なお、本実施の形態においては、ステップＳ３の実行中に曲決定キー１６がＯＮされているか判定しているが、勿論ステップＳ３の実行後に曲決定キー１６がＯＮされているか判定してもよい。
【００２９】
以上説明したように、本実施の形態に係る音楽再生装置は、ユーザは再生開始時間及び再生時間を指示し、再生を開始する操作のみを行えばよいため、従来の音楽再生装置のように各曲の一部を別の記録媒体に登録する必要がなく、従来の音楽再生装置と比較して利便性を向上することができる。また、ユーザによって操作手段により決定された場合、選択された曲を先頭部分から再生するため、ユーザは今聞きたい曲をゆっくり楽しむことができ、再生機能の利便性を向上することができる。このように、本実施の形態に係る音楽再生装置は、従来の音楽再生装置と比較して再生機能において利便性を向上することができる。また、本実施の形態に係る音楽再生装置は、再生開始時間及び再生時間を設定しておけばよいため、ユーザが希望する曲を検索するために曲の一部を登録する複数の記録媒体が必要であった従来の音楽再生装置と比較して装置を小型化及び低コスト化できる。また、本実施の形態に係る音楽再生装置は、再生時間が短い時間に設定されている場合には、聞きたくない曲が再生されていても、短時間の再生であるためユーザに不快感を与えない。また、本実施の形態に係る音楽再生装置は、曲検索の操作が必要ないため、表示部が小さいことや、ユーザが曲名を記憶していないことによる操作の煩わしさを解消できる。
（第２の実施の形態）
第１の実施の形態と異なる構成について説明し、同一の構成についてはその説明を省略する。
【００３０】
上述した第１の実施の形態においては、登録されている再生順序情報は、ランダム再生キーが押下される度にランダムに設定するようになっているが、第２の実施の形態においては、曲の決定回数に基づいて初期設定された再生順序情報を変更するようになっている。
【００３１】
音楽再生装置は、付加データ１２に曲決定キー１６により決定された回数（以下単に決定回数という）を含み、制御手段５が、この決定回数に基づいて再生順序情報８を変更するようになっている。制御手段５は、決定回数が多い曲から優先的に再生されるよう再生順序情報８を変更するようになっている。また、決定回数が等しい曲については優劣がつかないため、ランダムに再生されるよう再生順序情報８を設定するようになっている。また、決定回数を初期化できる機能を備えていることが望ましい。
【００３２】
以上説明したように、本実施の形態に係る音楽再生装置は、決定回数が多い曲順に再生され、ユーザが好んでいる曲を優先的に再生することができるため、ユーザに不快感を与えることがなく、再生機能における利便性を向上することができる。さらに、決定回数を初期化できる機能を備えていることにより、ユーザに再生機能における自由度を向上させることができる。
（第３の実施の形態）
第１の実施の形態と異なる構成について説明し、同一の構成についてはその説明を省略する。
【００３３】
上述した第１の実施の形態においては、登録されている再生順序情報は、記憶手段に記憶されている全ての音データをランダムに設定するようになっているが、第３の実施の形態においては、再生順序情報は、アーティスト名等に基づいて生成するようになっている。
【００３４】
音楽再生装置は、付加データ１２には、各音データ１１に対応するインデックス情報を含み、制御手段５は、インデックス情報に基づき再生順序情報を生成するようになっている。音楽再生装置は、制御手段５が、例えばアーティスト名やジャンルや年号等のインデックス情報により、同じアーティストのみ、同じジャンルのみ、同じ年号のみ等のようにプレイリスト６に登録する曲を抽出し、抽出した情報に基づいて再生順序情報８を生成する。この際、再生順序情報８は、再生順序生成手段により抽出された曲がランダムに設定される。これにより、ユーザに多彩な再生機能を提供することができる。なお、インデックス情報によるランダム再生については、操作手段４の図示しない各種設定キーによりジャンル等を指示できるようになっている。
【００３５】
以上説明したように、本実施の形態に係る音楽再生装置は、アーティスト名やジャンル名等で再生順序情報を生成することができるため、多彩な再生方法を実現でき、再生機能における利便性を向上することができる。
（第４の実施の形態）
第１の実施の形態と異なる構成について説明し、第１の実施の形態と同一の構成については、同一の符号を付してその説明を省略する。
【００３６】
図４は、本発明の第４の実施の形態の音楽再生装置のブロック図である。
【００３７】
図４に示すように、第４の実施の形態の音楽再生装置２１は、第１の実施の形態と異なり、パソコン等の図示しない外部機器と接続する外部機器用接続手段２２を備えている。これにより、音楽再生装置２１は、プレイリスト６と付加データ１２とを外部機器用接続手段２２を介して図示しない外部機器から編集できるようになっている。このため、音楽再生装置２１側では、プレイリスト６と付加データ１２とを編集する必要がない。
【００３８】
以上説明したように、本実施の形態に係る音楽再生装置は、装置側においてプレイリストや付加データの編集が不要であるため、再生機能における利便性を向上することができる。例えば、再生を開始する指示及び曲を決定する指示のみでよく、再生機能における利便性を向上することができる。さらに、装置側にプレイリストや付加データを編集する編集手段や表示手段が不要となり、従来の音楽再生装置と比較して装置を小型化及び低コスト化を実現することができる。
【００３９】
上述した第１の実施の形態から第４の実施の形態に係る音楽再生装置は、携帯電話機やＰＤＡ等の携帯型電子機器に内蔵されていてもよく、音楽再生装置を携帯電話機やＰＤＡ等の携帯型電子機器に適用することができる。
【産業上の利用可能性】
【００４０】
以上のように、本発明に係る音楽再生装置は、従来の音楽再生装置と比較して再生機能において利便性を向上することができるという効果を有し、記録媒体に記録された複数の音データを再生する音楽再生装置及びこれを内蔵した電子機器等として有用である。
【図面の簡単な説明】
【００４１】
【図１】本発明の第１の実施の形態の音楽再生装置のブロック図
【図２】本発明の第１の実施の形態の音楽再生装置の記憶手段の詳細を説明するための図
【図３】図３は、本発明の第１の実施の形態の音楽再生装置のフローチャート
【図４】図４は、本発明の第４の実施の形態の音楽再生装置のブロック図
【図５】従来の音楽再生装置のブロック図
【符号の説明】
【００４２】
１  音楽再生装置
２  記憶手段
３  再生手段
４  操作手段
５  制御手段
６  プレイリスト
７  音楽データ
８  再生順序情報
９  パス情報
１０  再生時間特定情報
１０ａ  再生開始時間
１０ｂ  再生時間
１１  音データ
１２  付加データ
１３  音声出力部
１４  アンプ
１５  スピーカ
１６  曲決定キー
１７  ランダム再生キー
２２  外部機器用接続手段
【図１】
2007257737.tif 000003
【図２】
2007257737.tif 000004
【図３】
2007257737.tif 000005
【図４】
2007257737.tif 000006
【図５】
2007257737.tif 000007